(57)【特許請求の範囲】
【請求項１】
ユーザの皮膚及び／又は毛に滑動可能に係合するための１つ以上の面を持つパーソナルケア装置であって、前記１つ以上の面は、物理的蒸着技術、スパッタリング技術、又は、化学的蒸着技術による付与される硬質被覆を有し、前記硬質被覆は、なかに組み込まれた粒子を持つことによって修飾され、前記粒子は、該粒子に共有結合されたペンダント型親水性高分子鎖を持つ、パーソナルケア装置。
【請求項２】
前記１つ以上の面において少なくとも１つの毛切断又は毛シェービング領域を持つパーソナルケア毛切断又はシェービング装置である、請求項１に記載のパーソナルケア装置。
【請求項３】
前記粒子の密度は、前記硬質被覆の外側面に向かって増大する、請求項１又は２に記載のパーソナルケア装置。
【請求項４】
前記粒子にペンダント型親水性高分子鎖が結合又は接合によって共有結合された、請求項１乃至３のいずれか一項に記載のパーソナルケア装置。
【請求項５】
前記硬質被覆は、前記１つ以上の面に直接に又は間接的に接着された、請求項１乃至４のいずれか一項に記載のパーソナルケア装置。
【請求項６】
前記１つ以上の面に直接に又は間接的に上塗り層が接着された、請求項１乃至５のいずれか一項に記載のパーソナルケア装置。
【請求項７】
前記パーソナルケア装置は、切断刃を有する刃かみそり、又は切断ユニットを有する電動シェーバであり、前記切断刃、前記切断ユニット、又は前記刃かみそり若しくは電動シェーバのその他の皮膚係合面は、前記粒子が中に組み込まれた前記硬質被覆を有し、前記粒子には前記ペンダント型親水性高分子鎖が共有結合された、請求項１乃至６のいずれか一項に記載のパーソナルケア装置。
【請求項８】
前記ペンダント型親水性高分子鎖は架橋されている、請求項１乃至７のいずれか一項に記載のパーソナルケア装置。
【請求項９】
請求項１乃至８のいずれか一項に記載のユーザの皮膚及び／又は毛に滑動可能に係合するための１つ以上の面を持つパーソナルケア装置を製造する、又は請求項１乃至８のいずれか一項に記載のパーソナルケア装置の皮膚係合面を修飾する方法であって、
物理的蒸着技術、スパッタリング技術、又は、化学的蒸着技術による硬質被覆を前記面に供給するとともに、活性基又は反応基を持つ粒子をそのなかに組み込むことによって前記硬質被覆を修飾するステップと、
前記活性基又は反応基にペンダント型親水性高分子鎖を共有結合させるステップと、
を有する方法。
【請求項１０】
前記粒子は、前記粒子の密度が前記硬質被覆の外側面に向かって増大するよう、前記硬質被覆に導入される、請求項９に記載の方法。
【請求項１１】
前記活性基又は反応基は、ヒドロキシル基、酸性基、アミン基、アミド基、及びこれらの混合物から成る群から選択される、請求項９又は１０に記載の方法。
【請求項１２】
前記共有結合させるステップは、前記活性基又は反応基に高分子鎖を接合させることにより実行される、請求項９乃至１１のいずれか一項に記載の方法。
【請求項１３】
前記共有結合させるステップは、前記活性基又は反応基にオリゴマー又は高分子を結合させることにより実行される、請求項９乃至１２のいずれか一項に記載の方法。
【発明の詳細な説明】
【技術分野】
【０００１】
本発明は、パーソナルケア装置に関し、特にユーザの皮膚及び／又は毛に滑動可能に係合することを意図された、即ち該皮膚及び／又は毛と滑動して接触して用いられることを意図された、少なくとも１つの面を持つパーソナルケア装置に関する。好適には、本発明は、皮膚及び／又は毛に滑動可能に係合するための前記少なくとも１つの面において少なくとも１つの毛切断領域又は毛シェービング領域を持つ、パーソナルケア毛切断又は毛シェービング装置に関する。斯かるパーソナルケア装置の例は、刃かみそり、特に被覆されたかみそり刃端を持つ刃かみそり、及び電動シェーバ、特に被覆された切断ユニット又は電動シェーバのシェービングヘッドの皮膚係合面のようなその他の被覆された皮膚係合面を持つ電動シェーバである。更に詳細には、本発明は、潤滑効果を提供する被覆を持つ、刃かみそり及び電動シェーバのようなパーソナルケア装置に関する。更に、本発明は、斯かるパーソナルケア装置における低摩擦面を製造するための方法に関する。
【背景技術】
【０００２】
シェービングの間に毛を切断又はせん断する工程において、切断刃の側面に対する毛の摩擦は重要である。特に、切断の容易さは当該摩擦に関連し、該摩擦がシェービングの間に体感される快適さに影響を与える。特に、刃のシェービングの場合、当該摩擦は皮膚における切り傷に帰着し得る。シェービングの間の快適さは、皮膚と刃かみそり又は電動シェーバの他の皮膚係合面との間の摩擦によっても影響を受ける。
【０００３】
それ故、言うまでもなく、刃かみそりの場合におけるような、皮膚及び／又は毛とユーザの皮膚及び／又は毛に滑動可能に係合することを意図されたパーソナルケア装置の面との間の摩擦を低減するための多くの試みが、特に（限定するものではないが）湿った環境において、先行技術において為されている。幾つかの摩擦低減手段が提案されてきた。
【０００４】
例えば、米国特許出願公開US2003/0096060への参照が為される。当該文献は、鋭利化された先端及び隣接する小面により定義される切断端を備えた基板と、該切断端における硬質（炭素）被覆の層と、クロム含有被覆の上塗り層と、を含むかみそり刃を教示している。該上塗り層は、ポリテトラフルオロエチレン（ＰＴＦＥ）の外層により被覆されている。当該外層は、低減された摩擦を提供するため用いられる。
【０００５】
また、米国特許US-A-3,754,329においては、間に小さな角を挟んだ２つの小面部分により定義される少なくとも１つの切断端部を有するかみそり刃が記載されている。各小面部分のそれぞれの少なくとも一部は、硬質金属のＲＦスパッタリングされた被覆、及び／又は有機プラスチック材料のスパッタリングされた被覆を持つ。当該有機プラスチック材料としては例えば、ポリテトラフルオロエチレン又は同様のフッ素若しくは塩素含有高分子又はポリエチレンのような、疎水性であり低摩擦特性を持つ高分子が例示されている。
【０００６】
更に、潤滑剤への接着を促進するため被覆が塗布されたかみそり刃を開示する、独国の文献「Offenlegungsschrift」24 16 560への参照も為され得る。記載される低摩擦材料は、ポリテトラフルオロエチレン、ポリプロピレン、ポリヘキサフルオロプロピレン、プリクロロトリフルオロエチレン、及びポリエチレンのような疎水性材料である。
【発明の概要】
【発明が解決しようとする課題】
【０００７】
不運にも、同様の又は対応する態様で塗布された、ＰＴＦＥ被覆、又はより一般的に、上述の２つの段落において記載されたタイプのその他の摩擦低減高分子の被覆は、シェービングの間に毛及び皮膚にかかる力学的な負荷の影響の下で皮膚上を滑動すると、比較的早く摩耗してしまう。このことは、時間経過に伴うシェービングの快適さの低減に導く。
【０００８】
本発明の目的は、ユーザの皮膚及び／又は毛に滑動可能に係合することを意図された１つ以上の面を持つパーソナルケア装置であって、該装置を用いる間の延長された快適さに帰着する、延長された潤滑効果を持つパーソナルケア装置を提供することにある。
【課題を解決するための手段】
【０００９】
第１の態様においては、本発明は、ユーザの皮膚及び／又は毛に滑動可能に係合するための１つ以上の面を持つパーソナルケア装置であって、前記１つ以上の面は、硬質の被覆を有し、前記硬質の被覆は、中に組み込まれた粒子を持ち、前記粒子は、共有結合しているペンダント型親水性高分子鎖を持つ、パーソナルケア装置に関する。本発明の好適な実施例においては、前記パーソナルケア装置は、ユーザの皮膚及び／又は毛に滑動可能に係合するための前記１つ以上の面における少なくとも１つの毛切断又は毛シェービング領域を持つ、毛切断又は毛シェービング装置である。
【００１０】
「背景技術」の欄で議論された上述の非親水性の高分子鎖とは異なり、親水性の高分子鎖は、水を吸収し、膨張して毛及び皮膚に対し低い摩擦を持つヒドロゲル又は同様のタイプの構造を形成する。親水性の高分子鎖は、ペンダント型であり、該パーソナルケア装置の関連する面において備えられる硬質被覆に組み込まれた粒子を通して、例えばかみそり刃面に共有結合されるため、斯かる親水性高分子鎖が面の基板に直接に非共有結合的に付着する皮膚係合面と比べて、シェービングの間の水に対する高い耐性が得られる。斯くして、親水性の高分子鎖は、面に対する好適な接着を持つ、該パーソナルケア装置の面における非常に滑らかな被覆を形成する。例えばシェービング用途のための高い耐久性が得られる。
【００１１】
これに加えて、特に被覆された切断刃を持つ刃かみそりの場合において、パーソナルケア装置の利用寿命は、皮膚係合面の基板に備えられた硬質被覆に埋め込まれた粒子にペンダント型親水性高分子を共有結合させることにより、延長させられる。本明細書及び添付される請求項においては、「粒子」なる語は、被覆層に埋め込まれた化合物又は組成物から成る実体を示し、ここで該被覆層は異なる材料のものである。
【００１２】
即ち、該硬質被覆は、活性基又は反応基を持つ粒子をなかに組み込んでおり、該活性基又は反応基を通して、該ペンダント型親水性高分子鎖が共有結合される。結合された活性基又は反応基のため「機能性粒子」とも呼ばれるこれら粒子を、硬質被覆に組み込むことにより、該反応基が該硬質被覆の外側面に配置されることとなる。このことは、該硬質被覆に対する、特に該硬質被覆に組み込まれた粒子に対する、親水性高分子鎖の強い共有結合を可能とする。ここで「活性基及び／又は反応基を持つ粒子」とは、不活性ではなく、親水性高分子鎖又はその基礎単位（単量体又はオリゴマー）と反応して、共有結合された親水性高分子鎖を持つ粒子を形成することができる粒子を意味する。このことは以下に更に詳述される。
【００１３】
本発明によるパーソナルケア装置は例えば、切断刃を有する刃かみそり、又は切断ユニットを有する電動シェーバであっても良く、ここで該切断刃又は切断ユニットは、本発明による前記粒子に共有結合したペンダント型親水性高分子鎖を持つ前記粒子をなかに組み込まれた前記硬質被覆を有する。代替として、例えば切断刃又は切断ユニットに隣接して配置された皮膚支持面のような、刃かみそり又は電動シェーバの別の皮膚係合面が、本発明による前記粒子に共有結合したペンダント型親水性高分子鎖を持つ前記粒子をなかに組み込まれた前記硬質被覆を備えられても良い。
【００１４】
更なる態様においては、本発明は、ユーザの皮膚及び／又は毛に滑動可能に係合するための１つ以上の面を持つ、本発明によるパーソナルケア装置を製造する方法であって、該装置は、一実施例においては、皮膚及び／又は毛に滑動可能に係合するための前記１つ以上の面において少なくとも１つの毛切断領域又は毛シェービング領域を持つパーソナルケア毛切断又はシェービング装置である方法、又は、本発明によるパーソナルケア装置の皮膚係合面を修飾する方法であって、
（ｉ）活性基又は反応基を持つ粒子を組み込まれた硬質被覆を前記面に備えるステップと、
（ii）前記活性基又は反応基にペンダント型親水性高分子鎖を共有結合させるステップと、
を有する方法に関する。
【００１５】
本発明のこれらの及び他の態様は、以下に説明される実施例を参照しながら説明され明らかとなるであろう。
【発明を実施するための形態】
【００１６】
上述したように、第１の態様においては、本発明は、かみそり刃又は毛切断刃の表面のような、ユーザの皮膚及び／又は毛に滑動可能に係合するための１つ以上の面を持つパーソナルケア装置に関し、ここで該毛切断刃なる用語は「かみそり刃」の同義語として用いられ、当該１つ以上の面は硬質被覆を有し、該硬質被覆は、該被覆に共有結合されたペンダント型親水性高分子鎖を持つ。
【００１７】
特に、当該硬質被覆を有する本発明のパーソナルケア装置は、該硬質被覆のなかに埋め込まれた活性基及び／又は反応基を持ち、該活性基及び／又は反応基を通して、該ペンダント型親水性高分子鎖が該硬質被覆に共有結合される。
【００１８】
一般的に、ユーザの皮膚及び／又は毛に滑動可能に係合するための１つ以上の面を持つパーソナルケア装置は、典型的には、ステンレス鋼、金属若しくはその他の金属合金、セラミック、合成物、プラスチック、ガラス又はこれらの組み合わせから形成される。更にしばしば、ステンレス鋼が、かみそり刃の基板として用いられる。上述したように、本発明のパーソナルケア装置においては、これら基板が硬質被覆により被覆される。
【００１９】
今日では、皮膚との滑動的な接触において用いられることが意図された装置の面又は基板は、常にではないとしても、該基板に直接に又は中間層に貼付された硬質被覆層により被覆されることが多い。斯かる硬質被覆層は、改善された強度、耐腐食性及び／又は改善されたシェービング効率を提供し得る。該被覆層は、ダイヤモンド、非晶質ダイヤモンド若しくはダイヤモンド状炭素のような炭素含有材料、窒化物、炭化物、酸化物又はその他のセラミック材料からつくられても良い。適切な材料は、前述した米国特許出願公開US2003/0096060に記載されており、原理は米国特許出願公開US2013/0031794にも開示されており、ここで参照により本明細に組み込まれたものとする。本発明によれば、かみそり刃の寿命、又は一般的にはパーソナルケア装置の皮膚係合面の寿命を伸ばす、斯かる硬質被覆が利用され、該被覆は、例えばダイヤモンド状炭素（ＤＬＣ）のような、皮膚及び毛に対する低い摩擦を持つものから選択される。
【００２０】
中間層は、基板材料に対する硬質被覆層の結合を容易化する。適切な中間層は、例えばニオブ又はクロム含有材料である。
【００２１】
また、本発明によれば、該硬質被覆は、基板に直接に、又は１つ以上の中間層の利用を通して、貼付されても良い。
【００２２】
本発明において有用な親水性高分子鎖は、該高分子を水溶性にする、極性又は荷電官能基を持つ単量体に基づく高分子鎖である。
【００２３】
適切な親水性高分子は、水を吸収して膨張し、ヒドロゲルを形成することが可能である。斯かる高分子の例は、多糖類、セルロース誘導体、ポリ（メタ）アクリル酸高分子及び共重合体、ポリエチレングリコール及びポリプロピレングリコールである。その他の適切な高分子は、アクリルアミド、無水マレイン酸等に基づく単独重合体又は共重合体である。非常に好適な高分子は、ポリビニルピロリドン（ＰＶＰ）である。
【００２４】
本発明による、かみそり刃面のような、パーソナルケア装置の皮膚係合面に備えられた硬質被覆に組み込まれた粒子に共有結合されていない場合には、例えばポリビニルピロリドン（ＰＶＰ）に基づく斯かる被覆は、基板面上の直接の高分子鎖のエンタングルメントによって該面に非常に弱く接着されるという欠点を持つ。このことは、シェービングの間に斯かる被覆の急速な摩耗を引き起こし、以上に引用したUS2003/0096060-A1において教示されるような、例えばＰＴＦＥよりも、かみそり刃に適用されたときに、あまり適切ではないものとしてしまう。より一般的には、親水性高分子の被覆の欠点は、基板面上における直接の高分子鎖のエンタングルメントにより従来の態様で適用される場合、該被覆は該装置の面に弱く接着されてしまうという点である。このことは、潤滑層のみならず、例えばかみそり刃自体のような、該装置の面の急速な摩耗を引き起こす。
【００２５】
本発明により適用される親水性の被覆は、皮膚と滑動的な接触を意図された面に、単に物理的に結合されるのではなく、化学的に結合されることにより、例えばシェービングの間の摩耗に対して、より耐性のあるものとなる。その結果、本発明による親水性の被覆の高分子鎖は、基板に備えられた硬質被覆に組み込まれた粒子との共有結合を持つ。このことは、該硬質被覆に存在する粒子に対する接合により、又は代替としては、該硬質被覆に存在する粒子の活性基に対する高分子（又はオリゴマー）の結合により、略理想的に実現される。
【００２６】
好適な実施例においては、該パーソナルケア装置は、硬質被覆により被覆された鋭利な基板を持ち、該硬質被覆に組み込まれた粒子に共有結合されたペンダント型親水性高分子鎖を持つ、かみそり刃を有する刃かみそりである。
【００２７】
かみそり刃は典型的には、しばしばステンレス鋼からつくられた鋭利な基板を含むが、該基板のための材料としては、他の適切な材料及び合金が利用されても良い。本発明によるかみそり刃又は毛切断刃は、乾式及び湿式シェーバの一部であっても良く、電気駆動されるものであっても手動で動作させられるものであっても良い。
【００２８】
原則として、シェーバの鋭利な基板材料に共有結合的に且つペンダント型に結合された親水性高分子鎖を持つことが可能である。しかしながら、シェービング用途のために用いられるようなステンレス鋼は、斯かる共有結合を形成するのに限られた能力しか持たないため、基板と親水性高分子層との間の中間層として、本発明によれば硬質被覆層材料が提案される。特に、硬質被覆は、好適な接着力とシェービングに対する耐性を備えたヒドロゲルを形成することができる親水性高分子鎖の共有結合を可能とするよう、容易に修飾されることができる。
【００２９】
特に、本発明によれば、ユーザの皮膚及び／又は毛に滑動可能に係合するよう意図されたパーソナルケア装置の面は、活性基及び／又は反応基を持つ粒子を中に組み込むことにより修飾された硬質被覆を備えられる。
【００３０】
斯かる活性基及び／又は反応基は、該硬質被覆に親水性高分子鎖の接着又は結合をもたらし、該パーソナルケア装置の関連する面における効果的な親水性高分子の被覆の形成を可能とする数だけ存在する。
【００３１】
特定の実施例においては、該粒子の密度は、該硬質被覆の外側面に向かうにつれて増大する。当該実施例は、従来の硬質被覆の機能を保持し、親水性高分子の層についての共有結合又は接合能力を最大化する。
【００３２】
望ましい方法は、該硬質被覆の材料に、表面において活性基を持つセラミック粒子を組み込むことである。
【００３３】
以上に示されたように、関連する皮膚係合面の基板に硬質被覆層を接着すること、及び接着工程の間に当該硬質被覆層に例えば活性基を持つ高分子又はセラミックのような材料を含ませることは、容易である。当該材料において、該材料の粒子の表面において、多数の活性基が存在する。当該材料を該硬質被覆層に分散させることにより、該硬質被覆層の外側面において活性基が配置されることとなる。これら活性基は、親水性高分子鎖の強い共有結合を実現するために利用され、これら高分子鎖が次いで該硬質被覆層に接着される。
【００３４】
更に、特に鋼のような基板材料に粒子を含ませることは、鋼の本来的な特性を損ない得る。加えて、硬質被覆は、かみそり刃に対する重要で有用な付加物である。更に、硬質被覆が、該硬質被覆の外側面に向かう粒子の密度勾配を備えられる実施例により、当該共有結合は、該硬質被覆の機能を大きく損なう又はなくすことがない。
【００３５】
本発明によるパーソナルケア装置を製造する工程においては、活性基及び／又は反応基が、該装置の関連する皮膚係合面に備えられた硬質被覆への当該活性基及び／又は反応基を有する粒子の導入により備えられる。適切な活性基及び／又は反応基は例えば、ヒドロキシル基、酸性基、アミン基、アミド基、及びこれらの混合物から成る群から選択される。
【００３６】
これら官能活性基は、硬質被覆層に導入される粒子の一部を形成し得る。斯かる粒子の例は、シリカ粒子又は共有結合に適した酸化物層を持つアルミナ若しくはその他の金属粒子のような金属粒子である。これに加えて、高分子粒子、即ち親水性高分子の群と反応するのに適した活性基を持つ高分子粒子が利用されても良い。斯かる官能高分子粒子の例は、ナイロン及びポリオキシドである。
【００３７】
本発明の製造工程においては、前記活性基に親水性高分子鎖を共有結合させるステップは、例えば該活性基に高分子鎖を接合させることにより実行されても良いし、又は例えば該活性基にオリゴマー又は高分子を結合させることにより実行されても良い。
【００３８】
従って、本発明によれば、必ずしもそれ自体は低い摩擦を持つとは限らないが、該パーソナルケア装置の関連する面に備えられた硬質被覆層に強く含まれることができ、雰囲気にさらされる活性基及び／又は反応基を持つ、例えば活性基又はセラミック若しくは金属部分を持つ高分子粒子のような材料が、当該面に備えられた硬質被覆に組み込まれる。
【００３９】
好適には、該活性基又は反応基を含む化合物及び／又は粒子は、該パーソナルケア装置の皮膚係合面の基礎を形成する基板に硬質被覆が接着されるときに導入される。該硬質被覆は一般に、物理的蒸着（ＰＶＤ）、（マグネトロン又はＲＦ）スパッタリング又は化学的蒸着（ＣＶＤ）のような既知の手法により接着されても良い。好適な実施例においては、該活性基又は反応基を含む粒子又は組成物は、密度勾配に応じて硬質被覆層内に組み込まれ、ここで該勾配は、皮膚と接触することを意図された硬質被覆の外側表面に向かうにつれて活性基及び／又は反応基の濃度が増大するように形成される。
【００４０】
その後、親水性高分子層が、例えば該硬質被覆の表面の近くに存在する粒子に予め重合された高分子鎖を共有結合させることにより、実現されても良い。他の実施例においては、該高分子鎖は、該硬質被覆の表面の近くに存在する個々の単量体から成長（接合）させられても良い。このことは、例えばアミドを接合して非常に親水性であるポリアミド被覆を形成することによって実現されても良い。
【００４１】
共有結合される親水性高分子層が準備される方法にかかわらず、必要とされる特性に基づいて該親水性高分子層を更に反応させる（例えば架橋する又は着色する）ことも可能である。好適な実施例においては、該親水性高分子鎖は、親水性の被覆の摩耗を更に低減させるために架橋される。
【００４２】
該共有結合された親水性の被覆は、装飾的な特性、及び更に重要なことに機能的な特性の、両方を持つ。適切な実施例においては、該共有結合された層は、潤滑層として機能するとともに、従来通りに接着された親水性被覆よりも摩耗に対する耐性が高い、親水性高分子から成る。
【００４３】
該親水性高分子層は、硬質被覆層に組み込まれた粒子に、予め重合された高分子鎖を共有結合させることにより実現されても良い。他の実施例においては、該高分子鎖は、該硬質被覆の表面の近くに存在する単量体から成長（接合）させられる。好適な実施例においては、該共有結合された層は、潤滑層として機能し、従来通りに接着された親水性被覆よりも摩耗に対する耐性が高い、親水性高分子から成る。
【００４４】
シェービング装置に適しており、斯かる高分子の含有を可能とする、特定の硬質被覆は、低摩擦のホウ化アルミニウムマグネシウム（ＢＡＭ）被覆である。しかしながら、以下の説明は、その他の硬質被覆の材料の利用にも同様に適用可能である。ＢＡＭ被覆の一例は、米国特許出願公開US2013/0031794に記載されている。なお、斯かる被覆においては、低摩擦の高分子（例えばＰＴＦＥ）が含まれ得ること、及び含まれた斯かる高分子の濃度及び分散は、ＰＶＤ及び／又はＣＶＤを用いる被覆の塗布工程の間に変化し得ることが知られている。しかしながら、親水性高分子を形成する低摩擦のヒドロゲルは、ＢＡＭ蒸着の間の包含にあまり適しておらず、使用される蒸着工程を耐えられる見込みが小さい。
【００４５】
本発明の一実施例においては、ＢＡＭ層の接着の間に、活性基を持つ高分子又は粒子が、該ＢＡＭ層に組み込まれても良い。斯かる活性基担持材料をＢＡＭ層に含ませることにより、例えばかみそり刃又はシェービングヘッドの皮膚係合面において備えられるＢＡＭ層の上端に、耐久性のある親水性の被覆を形成し有するために、これら活性基が利用され得る。
【００４６】
続いて、親水性高分子鎖が、これら高分子鎖を含まれる粒子、化合物又は組成物の活性基と反応させることによって、該活性基を含むＢＡＭ層の表面に接着される。反応のタイプは、高分子鎖のタイプ及び活性基のタイプに依存するが、例えばエステル化若しくはエーテル化又はアミド機能の生成であっても良い。
【００４７】
中間ステップにおいて、ＢＡＭに含まれる高分子が、被覆の分野において広く発表されているように、プラズマ、コロナ又はオゾン処理により更に活性化されても良い。
【００４８】
前述したように、上述の実施例は、ＢＡＭ層について幾分か詳細に説明された。しかしながら、代替の実施例においては、硬質被覆層が、複合ＤＬＣ（ダイヤモンド状炭素）被覆に基づくもの、又は電解、無電解若しくは完全成長Ｎｉ被覆に基づくもののような、他の材料からつくられても良い。即ち、いずれの後者の代替例においても、硬質被覆に材料を含ませることが可能である。
【００４９】
硬質被覆層のタイプ及び硬質被覆に組み込まれる材料又は粒子のタイプにかかわらず、該材料又は粒子が、硬質被覆層において勾配を伴って分散されることが好適である。当該勾配は好適には、硬質被覆の外側面に向かう方向に、粒子の数の増大を提供するものである。当該構成は、硬質被覆の外側面における活性基の高い濃度の存在を実現し、基板に近い位置における硬質被覆層自体を最適化する。
【００５０】
本発明は、ホウ化アルミニウムマグネシウム（ＢＡＭ）の硬質被覆を有するかみそり刃に基づく、以下の限定するものではない例を参照しながら、更に説明される。
【００５１】
例１：
米国特許出願公開US2013/0031794に記載されたようなマグネトロンスパッタリングを用いて、従来の刃かみそりのかみそり刃のステンレス鋼基板が、ＢＡＭ層により被覆され、当該被覆工程の間に、増大する濃度でシリカ粒子が添加される修飾を伴う。
ＢＡＭ被覆の外側面に向かう方向に増大する濃度でＢＡＭ被覆にシリカ粒子が組み込まれた、ＢＡＭ被覆されたかみそり刃が得られる。
【００５２】
例２：
適切な容器内で、例１により準備された被覆されたかみそり刃の表面が、コロナ処理を用いて活性化される。活性化された表面、特に該活性化された表面に存在するシリカ粒子が、７重量％のアクリルアミド及び１．５重量％の硝酸を含む、無酸素の脱イオン化された水溶液に接触させられる。当該溶液は、４５℃の温度を持つ。
続いて、窒素気流の下、硝酸セリウムアンモニウムが０．１８重量％の総濃度まで添加され、触媒として接合反応を促進する。
硝酸セリウムアンモニウムの色が検出されなくなると、かみそり刃が取り除かれ、脱イオン化された水で洗浄される。
４０℃の脱イオン化された水における水酸化ナトリウムの１Ｍ溶液に入れられ、重合されたポリアクリルアミドを酸性塩に変換する。
【００５３】
例３：
例２において記載された方法を用いて、かみそり刃が活性化される。
活性化された表面が次いで、８０℃の温度を持つ、５重量％の予め重合されたポリアクリルアミドを含む水溶液に入れられる。
１５分の滞留時間の後、該かみそり刃が、脱イオン化された水により洗浄され、４０℃の脱イオン化された水における水酸化ナトリウムの１Ｍ溶液に入れられ、共有結合されたポリアクリルアミドを酸性塩に変換する。
【００５４】
本発明は、開示された実施例に限定されるものではない。これらの実施例は、多くの代替実施例の例としてみなされるべきである。本明細において用いられる「有する（comprising）」なる語は、他の要素又はステップを除外するものではない。「１つの（a又はan）」なる語は、複数を除外するものではなく、それ故「少なくとも１つの」又は「１つ以上の」を意味し得る。
【００５５】
本明細において及び請求項において百分率への参照が為されている場合、これら百分率は、他の言及がない限り、全組成の重量に対する重量パーセントである。
【００５６】
別個の請求項において列記された、又は特定の別個の実施例においてここで説明された特徴は、有利に組み合わせられても良い。